(57)【要約】【課題】止水性を高めることが可能な防水板を提供する。【解決手段】水の浸入を防ぐ防水板（２０）であって、下端部に下端止水材（２５）を具備してなり、下端止水材は、防水板の長手方向に沿って延びる複数の止水突起（２７）を有する。【選択図】図３
2014190129.tif 000002
【特許請求の範囲】
【請求項１】
水の浸入を防ぐ防水板であって、
下端部に下端止水材を具備してなり、
前記下端止水材は、前記防水板の長手方向に沿って延びる複数の止水突起を有する防水板。
【請求項２】
前記止水突起は前記防水板の厚さ方向一方と他方の端部のそれぞれに配置されることを特徴とする請求項１に記載の防水板。
【請求項３】
前記下端止水材は、止水材本体及び該止水材本体から突出する前記止水突起が備えられる請求項１又は２に記載の防水板。
【請求項４】
所定の間隔を有して立設される、溝を有する一対のガイドと、
前記一対のガイドの前記溝に両端が保持される請求項１乃至３のいずれか１項に記載の防水板と、を備え、
前記防水板の一方の面のうち、前記ガイドと接触する部位には止水材が設けられ、前記防水板の他方の面のうち、前記ガイドと前記防水板との間には押圧手段が挟まれている、防水板装置。
【請求項５】
前記一対のガイドの間に溝を有する中柱が立設され、前記一対のガイドの一方のガイド及び前記中柱の前記溝に両端が保持される前記防水板を備え、及び／又は、前記一対のガイドの他方のガイド及び前記中柱の前記溝に両端が保持される前記防水板が備えられる請求項４に記載の防水板装置。
【発明の詳細な説明】
【技術分野】
【０００１】
本発明は、水の浸入を防止するために、建物及び店舗等への出入り口、並びに、建物及び施設等に通じる通路に設置する防水板、及び防水板装置に関する。
【背景技術】
【０００２】
建物の出入り口、地下鉄等の公共施設に連絡する道路からの出入り口、及びその他通路等は、普段は出入りや通行がしやすいように開放されていたり、容易に開閉できる扉等を備えたりすることが多い。ところが、集中豪雨等により洪水が発生したときには、水の侵入を防ぐことができずに被害が発生することがある。
【０００３】
これに対して、例えば特許文献１乃至３のように、洪水の発生時に出入り口や通路の特に下部を閉鎖して水の浸入を防ぐための防水板装置が提供されている。これら防水板装置は通路や出入り口の壁部に設置されて鉛直な溝を形成するガイドと、通路や出入り口の少なくとも下部を閉鎖するように配置され、ガイドの鉛直な溝に両端が保持される板状の防水板と、を備えて構成されている。そして通常時は防水板は設置されることなく別の場所に保管されており、出入り口や通路では出入りや通行が確保される一方、洪水等が発生したときには防水板を設置して出入り口や通路の下部を閉鎖し、水のそれ以上の浸入を防止する。これにより、洪水の被害を小さく抑えることができる。
【０００４】
特許文献１乃至３に開示された防水板装置には、止水性を高めるために防水板の最も下部となる端面に止水材が設けられている。さらに特許文献２、３には防水板を下方に押圧してさらに止水性を高める技術が記載されている。
【先行技術文献】
【特許文献】
【０００５】
【特許文献１】特許第４４４７３７５号公報
【特許文献２】特開２０１１−２５６６４２号公報
【特許文献３】特開２０１２−２１３５９号公報
【発明の概要】
【発明が解決しようとする課題】
【０００６】
上記特許文献１乃至３に記載の技術をはじめ、従来の防水板装置においてさらに止水性を高め、止水の信頼性を向上させることは重要な事項である。
そこで本発明は、止水性を高めることが可能な防水板、及び防水板装置を提供することを課題とする。
【課題を解決するための手段】
【０００７】
以下、本発明について説明する。なお、本発明の理解を容易にするために添付図面の参照符号を括弧書きにて付記するが、それにより本発明が図示の形態に限定されるものではない。また、ここでは防水板を境として、主として水が発生する側を外部側、水の浸入を阻止する側を内部側として説明をする。
【０００８】
請求項１に記載の発明は、水の浸入を防ぐ防水板（２０）であって、下端部に下端止水材（２５）を具備してなり、下端止水材は、防水板の長手方向に沿って延びる複数の止水突起（２７）を有する防水板である。
【０００９】
請求項２に記載の発明は、請求項１に記載の防水板（２０）において、止水突起（２７）は防水板の厚さ方向一方と他方の端部のそれぞれに配置されることを特徴とする。
【００１０】
請求項３に記載の発明は、請求項１又は２に記載の防水板（２０）において、下端止水材（２５）は、止水材本体（２６）及び該止水材本体から突出する止水突起（２７）を備える。
【００１１】
請求項４に記載の発明は、所定の間隔を有して立設される、溝を有する一対のガイド（２）と、一対のガイドの溝に両端が保持される請求項１乃至３のいずれか１項に記載の防水板（２０）と、を備え、防水板の一方の面のうち、ガイドと接触する部位には止水材が設けられ、防水板の他方の面のうち、ガイドと防水板との間には押圧手段（４０）が挟まれている、防水板装置（１）である。
【００１２】
請求項５に記載の発明は、請求項４に記載の防水板装置（１）において、一対のガイド（２）の間に溝を有する中柱が立設され、一対のガイドの一方のガイド及び中柱の溝に両端が保持される防水板を備え、及び／又は、一対のガイドの他方のガイド及び中柱の溝に両端が保持される防水板が備えられる。
【発明の効果】
【００１３】
本発明によれば、特に防水板の下端部における路面との止水性を高めることができる。
【図面の簡単な説明】
【００１４】
【図１】防水板装置１が通路に設置された場面を示す斜視図である。
【図２】図２（ａ）が外部側からみた正面図、図２（ｂ）が内部側からみた正面図である。
【図３】図２（ａ）にＩＩＩ−ＩＩＩで示した線にに沿った断面図である。
【図４】図２（ａ）にＩＶ−ＩＶで示した線に沿った断面図である。
【図５】図４にＶで示した範囲を拡大した図である。
【図６】図６（ａ）は変形例のガイド２’を説明する図、図６（ｂ）は他の変形例のガイド２”を説明する図である。
【図７】図７（ａ）は図６（ａ）の矢印Ａからガイド２’の下端部をみた図、図７（ｂ）は図６（ａ）の矢印Ｂの方向からガイド２’の下端部をみた図である。
【図８】図７（ｂ）の矢印Ｃの方向からガイド２’の下端部を見た図である。
【図９】図９（ａ）は図３にＩＸａで示した範囲を拡大した図、図９（ｂ）は図９（ａ）の分解図である。
【図１０】下端止水材２５を説明する図である。
【図１１】図１１（ａ）は下端止水材２５’を説明する図、図１１（ｂ）は下端止水材２５”を説明する図である。
【図１２】押圧手段４０’を説明する図である。
【図１３】平常時における通路の様子を表した図である。
【図１４】平常時における防水板１０、最下部防水板２０の保管態様を説明する図である。
【図１５】図１５（ａ）はガイドが側壁等に埋め込まれている形態における最下部防水板２０を設置するための一場面を説明する図である。図１５（ｂ）は最下部防水板２０を設置するための他の場面を説明する図である。
【図１６】最下部防水板２０を設置したときの下端止水材２０の形態を説明する図である。
【図１７】図６（ａ）の矢印Ｂの方向から防水板装置の下端部をみた図である。
【図１８】図１７を矢印Ｄの方向から見た図である。
【図１９】図１９（ａ）は押圧手段４０’を用いた１つの形態を説明する図である。図１９（ｂ）は押圧手段４０’を用いた他の形態を説明する図である。
【図２０】図２０（ａ）は防水板設置装置５０を用いた場面の１つの例、図２０（ｂ）は防水板設置装置５０を用いた場面の他の例である。
【図２１】防水板装置１０１を内部側から見た正面図である。
【図２２】中柱１１０の断面形状を表した図である。
【図２３】中柱１１０の下端部を内部側から見た図である。
【図２４】中柱１１０の下端部の周辺を路面側から見上げる方向に見た図である。
【図２５】中柱１５０の断面形状を表した図である。
【発明を実施するための形態】
【００１５】
本発明の上記した作用及び利得は、次に説明する発明を実施するための形態から明らかにされる。以下、本発明を図面に示す実施形態に基づき説明する。なお、ここに示す各図では、説明及び見易さのため、一部の部材を省略、透視して表したり、誇張して表したりしている。
【００１６】
図１は第一の形態を説明する図で、防水板装置１が通路入口に設置された場面を表した斜視図である。このように防水板装置１は必要なときに通路の少なくとも下部を閉鎖して水の浸入を防ぐ装置である。図示は省略しているが本例では防水板装置１の紙面左下側の部位で水の滞留が発生しており、防水板装置１により紙面右上側の通路内への水の浸入が防止されている。
以下、説明のしやすさのため、防水板装置を挟んで水が滞留する側を「外部側」と記載することがあり、防水板装置により水の浸入が阻止される側を「内部側」と記載することがある。また、防水板装置を挟んで外部側と内部側とを結ぶ方向を「内外方向」と記載することがある。
なお、本形態では通路に防水板装置が設置された例を説明するが、この他必要に応じて適切な場所に防水板装置を設置することができる。これには出入り口に設置する例があり、例えば建物のドアに併設して建物外部で溢れ出した水を建物内部に侵入させないように防水板装置を設置することもできる。
【００１７】
図２（ａ）には図１に矢印ＩＩａで示した方向、すなわち外部側からみた防水板装置１の正面図を表した。また図２（ｂ）には図１に矢印ＩＩｂで示した方向、すなわち内部側からみた防水板装置１の正面図を表した。また、図３には図２（ａ）にＩＩＩーＩＩＩで示した線による内外鉛直方向断面図、図４には図２（ａ）にＩＶーＩＶで示した線による内外水平方向断面図をそれぞれ表した。
【００１８】
防水板装置１は、ガイド２、防水板１０、最下部防水板２０、及び押圧手段４０を有して構成されている。
【００１９】
ガイド２は、防水板１０及び最下部防水板２０の左右両端部をそれぞれ案内し、該端部を保持することにより、防水板１０及び最下部防水板２０を通路を塞ぐ姿勢に維持するための部材である。図５には図４にＶで示した範囲の拡大図を表した。ここにはガイド２の断面形状が大きく表れている。
図１、図２（ａ）、図２（ｂ）からわかるように、ガイド２は通路の対向する壁部のそれぞれに沿って対向して立設される長尺の部材である。従ってガイド２は少なくとも２つのガイド２が一対となって配置されている。また、ガイド２はここに配置される防水板の厚み以上の開口を有するものであればよく、既設、新設を問わない。
【００２０】
図４、図５にはガイド２の長手方向（立設する方向）に直交する方向（すなわち水平方向）における断面形状がよく表れている。本形態ではガイド２は当該断面において内外方向に延びる片３を有し、該片３の端部のそれぞれから反対側のガイド２の方向に向けて延びる片４、片５が配置されている。これにより片４と片５とは内外方向に所定の間隔を有して並列され、その間には溝が形成される。そしてこの溝のうち、片３が配置される側とは反対側には該溝内に通じる開口が形成される。従って、ガイド２は断面が略コ字状、又は略Ｃ字状とされている。
本形態では、片４、片５の先端には互いに近づく方向に延びる先端片４ａ、５ａが設けられ、その先端は湾曲するように曲げられており、先端片４ａの湾曲の凸部と先端片５ａの湾曲の凸部とが対向するように配置されている。これにより、後述するガイド止水材１３、押圧手段４０との接触面積を増やして止水性を向上させている。
【００２１】
なお、このような断面形状を有する部材としていわゆるシャッター装置のガイドレールがある。従って、その断面形状によってはシャッター装置のガイドレールを防水板装置のガイドに転用することができる。これによれば部材の汎用性を高めることができるので、部材の入手性やコストの観点から有利である。
【００２２】
一対となるガイド２は、片４と片５との溝内に通じる開口が互いに向き合うように配置される。このとき、ガイド２と壁部との間から内外方向に水が流通しないようにガイド２は止水材を介して壁部に固定されている。本形態ではガイド２は壁部にその一部を埋設されている。これによれば防水板１０等を設置しないときに壁部からガイド２が突出しないので、通路を広く用いることができるとともに外観の観点からも好ましい。ただし、これに限らず次に示すように壁面に埋設することなくガイドを壁面に設置してもよい。これによれば設置を簡易に行うことができる。
【００２３】
図６には変形例のガイド２’及びガイド２”の断面形状が表れた図を示した。図６（ａ）にはガイド２’の断面が表れ、図６（ｂ）にはガイド２”の断面が表れている。図６（ａ）、図６（ｂ）はいずれも図５に相当する図である。
【００２４】
図６（ａ）に示したガイド２’は、当該断面において内外方向に延びる片３’を有し、該片３’の一方の端部（本形態では外部側の端部）から反対側のガイドに向けて延びる片４’を有している。そして片３’の他方の端部（本形態では内部側の端部）には矩形中空である中空部５’が設けられている。これにより片４’と、中空部５’のうち片４’に対向する片５’ａと、は内外方向に所定の間隔を有して並列され、その間には溝が形成される。そしてこの溝のうち、片３’が配置される側とは反対側には該溝内に通じる開口が形成される。従って、ガイド２’は片３’、片４’及び片５’ａにより断面が略コ字状、又は略Ｃ字状とされている。
ガイド２’によれば片４’と片５’ａとの間隙によりガイド２と同様に作用する。さらにガイド２’には中空部５’が設けられているので、長尺であるガイドの曲げやねじれに対する強度を高めることができる。これにより、図６（ａ）にも表れているようにガイド２’を壁部に埋めることなく壁面に直接取り付けても強度の問題が発生することを防止することが可能である。
【００２５】
図６（ｂ）に示したガイド２”は、ガイド２’の片４’の先端に楔部４”ａが配置されているガイドである。より詳しくは、片４’の先端のうち、片５’ａに対向する側の面に、テーパ面を有する楔部４”ａが設けられている。楔部４”ａはそのテーパ面が片３’に近付くにつれて片５’ａとの間隔が狭くなるような形態である。これにより、ガイド２’で説明した効果に加え、後述する押圧手段４０をより強固に保持するとともに押圧面積を大きくすることで、止水性を向上させることができる。
【００２６】
図７にはガイド２’の下端部に注目した図を示した。図７（ａ）は図６（ａ）の矢印Ａで示した方向からガイド２’の下端部をみた図、図７（ｂ）は図６（ａ）の矢印Ｂで示した方向からガイド２’の下端部をみた図である。図８には図７（ｂ）に矢印Ｃで示した方向、すなわち路面側から当該下端部をみた図を表した。図８では見易さのため、ガイド２’を破線で表している。ガイド２’の下端部は図７（ａ）、図７（ｂ）、図８で表したように止水ゴム６を介して路面に接している。止水ゴム６を介することによりここで止水性が確保される。この形態では路面を掘り下げてここにガイドを差し込む必要がないので路面を傷めることなく防水板装置１を設置することができる。ただし、図７（ｂ）、図８からわかるように、中空部５’の下端にのみ止水ゴム６が設けられ、その外部側には間隙が形成されている。ここには後で説明するように（図１７参照）、止水ゴム６の外部側端面に下端止水材２５の内部側面まで伸びるガイド止水材２３が接触する。止水ゴム６の厚さは必ずしも一定である必要はなく、路面の凹凸の程度等により適宜厚さを調整することができる。
ただし、これに限らず路面を掘り下げてここにガイドの下端部を埋めて設置することを妨げるものではない。
【００２７】
また、図７（ｂ）に表れているようにガイド２’の片４’の最下部のうち中空部５’に対向する面には下部押圧部材７が配置されている。下部押圧部材７は、最下部防水板２０の最下部を内部方向に押圧し、中空部５’、止水ゴム６に強く密着させることにより止水性を向上する部材である。下部押圧部材７は楔型の部材であり、上部が細くて中空部５’との距離が広く、下部に向かうにつれて太くなり中空部５’との距離が狭くなっている。
下部押圧部材７はゴム等の弾性部材により形成されることが好ましい。これにより最下部防水板２０との密着性を向上させることができる。
【００２８】
図１乃至図６に戻り、防水板１０について説明する。防水板１０は、全体として板状の部材であり、面材１１、連結部止水材１２、ガイド止水材１３、及び滑り止め材１４を有している。
面材１１は、防水板１０の本体として水を塞き止める機能を有する板状の面材である。従って想定される水からの力を受けても変形及び破断することのない強度を有して構成される必要があり、かかる観点から金属により形成されていることが好ましい。
【００２９】
一方、防水板１０はその設置をできるだけ容易に行うことができる方がよく、重量及び大きさが適切であることが好ましい。そこで、本形態では面材１１を中空材により形成し、重量を小さく抑えている。さらに本形態の防水板装置１では、防水板を３つに分割し（そのうちの２つが防水板１０、１つが最下部防水板２０）、必要な時にこれらを連結するように構成されている。これにより１つあたりの防水板の重量及び大きさを小さく抑え、設置がしやすいようにしている。
そこで、面材１１は、このように分割された防水板１０の上下端を連結する構造を備えている。図９（ａ）には図３にＩＸａで示した領域を拡大した図を示し、図９（ｂ）にはその分解図が表れている。すなわち、図９（ａ）、図９（ｂ）からは、防水板１０の下端部の断面形状及び上端の断面形状がわかる。
【００３０】
防水板１０の上端部には凹凸が形成されている。具体的には図９（ｂ）からわかるように、外部側から内部側に向けて、切り欠き１１ａ、凸部１１ｂ、凹部１１ｃ、凸部１１ｄ、切り欠き１１ｅが順に形成されている。後述するように凸部１１ｂと凸部１１ｄとの間の凹部１１ｃに連結部止水材１２が配置されている。
一方、防水板１０の下端部は、上端部に形成された凹凸に対応するように凹凸が形成されている。具体的には図９（ｂ）からわかるように外部側から内部側に向けて、凸部１１ｆ、凹部１１ｇ、凹部１１ｈ、凸部１１ｉが順に形成されている。ここで、凸部１１ｆは切り欠き１１ａ、凹部１１ｇは凸部１１ｂ、凹部１１ｈは連結部止水材１２及び凸部１１ｄ、並びに凸部１１ｉは切り欠き１１ｅにそれぞれ対応している。
【００３１】
連結部止水材１２は、上記面材１１の上端部のうち凸部１１ｂと凸部１１ｄとの間に形成される凹部１１ｃに配置される止水材である。従って連結部止水材１２は図３、図９（ａ）、図９（ｂ）に表れる断面を有して、面材１１の上端の長手方向に沿って延びる棒状の止水材である。止水材の材料は公知のものを用いることができる。
連結部止水材１２及び面材１１の上下端部の凹凸の構造により、図３、図９（ａ）のように防水板１０の下端部と防水板１０の上端部が連結されたとき、止水性が確保される。
【００３２】
ガイド止水材１３は、ガイド２と面材１１との止水性を確保するための部材である。具体的には、図２（ｂ）、図４、図５等からわかるように、面材１１の内部側となる面のうちガイド２に挿入される端部（左右方向端部）に配置される板状の止水材である。ガイド止水材１３は、該端部に沿って上下に延びるように配置されている。ガイド止水材１３は図５によく表れているようにガイド２の内面に接して止水性を高めるので少なくとも当該ガイド２の内面に接する部位に配置されていればよいが、接する位置が必ずしも一点に決まるとは限らないのである程度の範囲に亘って配置されていることが好ましい。止水材の材料は公知のものを用いることができる。
【００３３】
滑り止め材１４は、面材１１の表裏のそれぞれに配置され、使用者が防水板１０を持つときに滑り止めとして機能する。従って滑り止め材１４は使用者が防水板１０を持つときに使用者の手が触れると想定される位置に配置することが好ましい。本形態では図２（ａ）、図２（ｂ）からわかるように、滑り止め材１４は面材１１の両面のうち上部側に寄せられて取り付けられている。
滑り止め材１４としては、滑り止めとして機能すれば特に限定されていることはないが、例えば防震ゴムを用いることができる。
【００３４】
最下部防水板２０は、防水板の１つであり全体として板状の部材で、その基本的な機能は防水板１０と同様である。ただし、最下部防水板２０は複数の防水板の中でも最下部に配置される点で、上記防水板１０と異なる構造を備えている。すなわち、図１、図２（ａ）、図２（ｂ）、図３に表れているように、最下部防水板２０は、面材２１、連結部止水材２２、ガイド止水材２３、滑り止め材２４、及び下端止水材２５を具備している。
【００３５】
面材２１は、最下部防水板２０の本体として水を塞き止める機能を有する板状の面材である。従って想定される水からの力を受けても変形及び破断することのない強度を有して構成される必要があり、かかる観点から金属により形成されていることが好ましい。
【００３６】
一方、最下部防水板２０はその設置をできるだけ容易に行うことができる方がよく、重量及び大きさが適切であることが好ましい。そこで、本形態では図３からわかるように面材２１を中空材により形成し、重量を小さく抑えている。本形態では上記したように防水板を３つに分割し、これらの連結時には、最下部に配置される防水板として最下部防水板２０が設置される。
【００３７】
そこで、面材２１は、その上端は防水板１０の下端に連結し、その下端は通路の路面に接地するための止水材（下端止水材２５）が配置できる構造を備えている。
面材２１の上端部の構造は防水板１０の下端に連結する構造であり、上記した防水板１０の上端部の構造と同じである。従って図３からわかるように、面材２１の上端部には連結部止水材２２が配置されており、これは上記した連結部止水材１２と同じである。
【００３８】
一方、面材２１の下端部の構造は次の通りである。図１０には図３のうち最下部防水板２０の下端部に注目し、拡大した図を示した。図３及び図１０からわかるように、最下部防水板２０の下端部は、外部側及び内部側の端部のそれぞれから下方に向けて、片２１ａ及び片２１ｂが垂下され、その間に凹部２１ｃが形成されている。後述するように当該凹部２１ｃに下端止水材２５が配置されている。
【００３９】
また、面材２１には、図３、図１０に表れる断面において該面材の外部側面及び内部側面のうち下部のそれぞれから片２１ｄが突設されている。また片２１ｄの先端からは下方に向けて片２１ｅが延び、さらにその先端には面材２１に近づくように延びる片２１ｆが設けられている。
【００４０】
ガイド止水材２３、及び滑り止め材２４は、防水板１０で説明したガイド止水材１３及び滑り止め材１４と同様なのでここでは説明を省略する。
【００４１】
下端止水材２５は、面材２１と通路の路面との止水性を確保する部材である。図３及び図１０にその断面形状が表れている。下端止水材２５は、止水材本体２６及び複数の止水突起２７を有している。
【００４２】
止水材本体２６は、下端止水材２５の本体として機能し、所定の断面を有して面材２１の下端の長手方向に沿って延びる棒状の止水材である。止水材本体２６は、面材２１の下端の凹部２１ｃにその上端が挿入されて固定されるとともに、その下端は面材２１の下端よりも下方に突出するように配置されている。止水材本体２６の上記所定の断面（長手方向に直交する断面）は、図３、図１０に表れており、本形態では矩形中実である。ただし、これに限らず中空の断面を有していてもよい。
止水材本体２６は、防水板が設置される路面の状況に応じて柔軟に対応することができる観点から軟質の材料により構成されていることが好ましい。ここでいう軟質は、クッション材のように弾力性に富む材質である。例えばこれらの軟質止水材料として考えられるものは、スポンジゴムまたは硬度の低いゴム（一例として硬度１０°〜４０°程度）の中空または中実断面形状が好ましい。より具体的には材質としてはＥＰＤＭ、クロロプレンゴム、シリコンゴム等が主として挙げられる。
【００４３】
止水突起２７は、止水材本体２６のうち路面に対向する側（面材２１側とは反対側）の面に間隔を有して防水板の板面に沿った方向に突出して配置された複数の止水材である。止水突起２７も突起状である所定の断面を有して止水材本体２６の長手方向に沿って延びている。本形態では２つの止水突起２７が設けられ、内外方向両端のそれぞれに配置されている。
止水突起２７の形態、配置については特に限定されることはないが、それぞれの止水突起２７の断面は矩形であることが好ましく、面材２１の面に沿った方向に延びる方向、又は先端に向けて互いに距離が広がるように若干末広がりなっていることが好ましい。また、止水突起２７の止水材本体２６からの突出量は５ｍｍ程度が好ましい。
複数の突起２７間の関係は、等間隔で互いが最も離隔するように配置されていることが好ましい。従って本形態のように２つの止水突起２７が設けられた場合には内外方向のそれぞれに止水突起２７が配置されていることが好ましい。
【００４４】
止水突起２７は後述するように防水板１０、及び最下部防水板２０の重さにより変形して止水性を高めるので軟質の材料により構成されていることが好ましい。かかる観点から止水突起２７は止水材本体２６と同じ材料により形成できる。従って止水材本体２６と止水突起２７とは一体に作製してもよい。ただし、両者を別体で作製して接着剤等により接合することを妨げるものではない。
【００４５】
図１１には下端部止水材の変形例の断面形状を示した。図１１（ａ）は一方の止水突起２７’の突出量が大きい下端止水材２５’、図１１（ｂ）は内外方向中央にさらに１つの止水突起２７”が設けられている下端止水材２５”である。
図１１（ａ）の例である下端止水材２５’では例えば路面に段差や溝があり、長い方の止水突起２７’を段差や溝の深い方に差し込むことで、止水性を高めることができる。
一方、図１１（ｂ）の例である下端止水材２５”では、止水突起２７”を追加することにより止水性を高める。このときには内外方向両端の止水突起２７の突出量が大きく、内外方向中央に配置される止水突起２７”がこれより突出量が小さいことが好ましい。これにより複数の止水突起２７、２７”がバランスよく路面に接して防水効果を高めることができる。
【００４６】
次に押圧手段４０について説明する。本形態の押圧手段４０は図１、図２（ａ）、図４、図５等に表れている。
押圧手段４０は、防水板１０及び最下部防水板２０を内外方向に押圧し、ガイド２の内面に強く密着させることにより止水性を向上する部材である。本形態では、押圧手段４０は楔型の部材であり、図５に示したように防水板１０の面に重なるべき基面４１及び該基面４１に対して傾斜している傾斜面４２を有して構成されている。
本形態の押圧手段４０はゴム等の弾性部材により形成されることが好ましい。これにより基面４１及び傾斜面４２の防水板１０、２０、及びガイド２との密着性を向上させることができる。
【００４７】
図１２には押圧手段の他の形態例である押圧手段４０’の形状を表した。押圧手段４０’も基面４１’及び傾斜面４２’を備えている。基面４１’は上記した基面４１と同様であるが、傾斜面４２’は傾斜部４２’ａと平行部４２’ｂとが交互に連続して構成されている。傾斜部４２’ａは基面４１’に対して傾斜する面を備える部位であり、平行部４２’ｂは基面４１’に平行な面を備える部位である。このような押圧手段４０’によれば、平行部４２’ｂごとに段階的に楔状の押圧手段４０’の挿入量を調整することができ、場所や作業者による押圧手段の挿入に関するばらつきを解消することが可能である。
すなわち、段差を有することなく一定の傾斜面を有する楔状の押圧手段を用いた場合、重ねて設置する防水板の外部側の左右ガイドにそれぞれ一箇所打ち込むこととなるが、例えば最下部の防水板を押圧手段で固定したとしても、二段目の防水板の押圧手段が最下部の防水板の押圧手段の打ち込み量より多く打ち込んでしまった場合は、最下部の防水板の押圧手段が緩くなってしまうことが考えられ、打ち込み量の管理が必要になる。これに対して押圧手段４０’によれば、平行部を基準として打ち込み量を合わせることで、同じ打ち込み量となり、打ち込み量と押圧状態の管理がし易い。
本形態では３つの傾斜部４２’ａ及び３つの平行部４２’ｂを有する例であるがこれに限らずその数は特に限定されるものではない。
【００４８】
また、本形態では図２（ａ）に表したように、上下方向には短い複数の押圧手段４０、４０’を、複数の防水板のそれぞれに配置する態様であるがこれに限らず、押圧手段を防水板の高さ方向に長いものとして構成することも可能である。このとき、押圧手段が複数の防水板に亘って配置されてもよい。
【００４９】
以上説明した防水板装置１は例えば次のように配置される。
図１３に示したように、２つのガイド２を該ガイド２に形成された溝の開口部が向かい合うように通路の対向する壁部のそれぞれ立設させておく。このとき、図５のようにガイド２を壁部に埋めるようにしてもよく、図６のように壁面に接触させるようにしてもよい。また、ガイドを壁部に設置するに際しては壁部とガイドとの間から内外方向に水が漏れないように止水手段により止水が行われていることが好ましい。
【００５０】
一方、防水板１０、最下部防水板２０、及び押圧手段４０は、平常時には別途保管する等しておき、通路には設置しない。これにより通路の往来が確保される。
このとき、本形態によれば例えば図１４に示したように防水板１０、及び最下部防水板２０を１つにまとめておくことができる。すなわち、最下部防水板２０の面材２１に具備された片２１ｄの上面に防水板１０を立てるように載置する。これにより防水板１０、及び最下部防水板２０が平行に重なるように取りまとめられる。このとき、防水板１０の滑り止め材１４及び最下部防水板２０の滑り止め材２４が接触することにより防水板１０と最下部防水板２０との滑りが防止され、さらに安定させることができる。
【００５１】
例えば集中豪雨等により外部側に滞留水が発生しそうなときには、防水板１０及び最下部防水板２０を設置して通路内への水の流入を防止する。図１５（ａ）、図１５（ｂ）に最下部防水板２０を設置する手順を説明する図を示した。最下部防水板２０は、図４、図５に示した例のように、この場合、通路幅より防水板の幅方向（図１５（ｂ）の左右方向）の全長の方が長く、その左右方向両端部をガイド２の内側に挿入するので、水平としたまま正面から設置することはできない。そこで、図１５（ａ）に示したように、最下部防水板２０を傾斜させて左右方向の大きさが短くなる姿勢として２つのガイド２間に配置する。次に図１５（ｂ）のように最下部防水板２０を水平に戻し、この際に最下部防水板２０の端部をガイド２の溝内に差し込む。防水板１０についても同様である。最下部防水板２０、及び防水板１０の連結は図９（ｂ）のような分解した姿勢から図９（ａ）に示したように連結すればよい。
【００５２】
また、これにより最下部防水板２０では、下部止水材２５が図１６のように変形する。すなわち、防水板１０及び最下部防水板２０の重量が下端止水材２５の特に止水突起２７にかかり、止水突起２７が変形して路面に密着する。
このように防水板装置１では、防水板装置１の下端部に備えられた２つの止水突起２７に重量がかかるので、強い圧力で路面と接して高い止水性を得ることができる。また、このような止水突起２７が少なくとも２つ配置されることで、二重に防水し、防水性の向上が図られている。
止水突起２７の変形後の形態は特に限定されることはないが、図１６のように、外部側の止水突起２７はその先端が外部側に、内部側の止水突起２７はその先端が内部側に向くことが好ましい。
【００５３】
次に、図４、図５に表れる例のように、ガイド止水材１３が配置されていない側（本例では外部側）の防水板１０とガイド２との間、及びガイド止水材２３が配置されていない側の最下部防水板２０とガイド２との間に、押圧手段４０を差し込む。このとき、押圧手段４０のうち基面４１と傾斜面４２との間隔が狭い方からガイド２の内側に挿入する。これにより押圧手段４０を深く差し込むにつれて楔の効果により防水板１０及び最下部防水板２０が押圧手段４０とは反対側（本例では内部側）に押され、ガイド止水材１３、２３がガイド２に強く接触して止水性が確保される。本形態では、図１、図２（ａ）に表れているように、防水板１０及び最下部防水板２０のそれぞれ左右に１つずつ、合計６つの押圧手段４０が用いられているが、上記したように防水板の全高さに渡った長尺部材とする押圧手段も可能である。
【００５４】
このような防水板装置１によれば、ガイド２の内側に防水板１０及び最下部防水板２０の端部が挿入され、押圧手段４０により防水板１０及び最下部防水板２０が押されてガイド２にガイド止水材１３、２３を介して強く密着している。これにより通路の壁部と防水板装置１との止水性が確保される。
一方、最下部防水板２０の下端については下端止水材２５により上記したように高い止水性が保たれる。これによれば防水板１０及び最下部防水板２０を下方に押圧して止水性を高める他の手段を用いなくてもよい場合が増え、装置の簡素化も可能となる。ただし、当該他の手段を適用することを妨げるものではない。
【００５５】
図１７には、ガイド２’が用いられた場合における、ガイド２’の下端部の各部材の配置を示した。図１７は図６（ａ）の矢印Ｂの方向から見た図である。また図１８には、図１７を矢印Ｄの方向、すなわち路面側から見た図を示した。図１７、図１８からわかるように、ガイド２’が用いられた場合には、その下端部でガイド２’の下端に設けられた止水ゴム６の外部側端面に下端止水材２５の内部側面まで伸びるガイド止水材２３が接触して当該部位における止水性が確保される。このとき、本形態では下部押圧部材７により最下部防水板２０の下端部が内部側に押圧され、止水ゴム６とガイド止水材２３との密着性を高めている。
【００５６】
図１９には、押圧手段として押圧手段４０’を用いた例を示した。図１９（ａ）は押圧手段４０’を用いた１つの例、図１９（ｂ）は押圧手段４０’を用いた他の例である。
図１９（ａ）の例では、傾斜面４２’のうち、最も先端側に配置された平行部４２’ｂでガイド２と接触するように押圧手段４０’を用いている。一方、図１９（ｂ）の例では、傾斜面４２’のうち、先端から２つ目に配置された平行部４２’ｂでガイド２と接触するように押圧手段４０’を用いている。このように押圧手段４０’では段階的に差し込む量が分かりやすい形状とされており、均一で安定した押圧状態を確保し易い。
【００５７】
また、図６（ｂ）に示したように、ガイド２”の片４’の先端に楔部４”ａを備えていれば押圧手段４０の傾斜面との接触面を増やすとともに、接触面における面圧も均一化されるので、これによっても安定な押圧状態を維持することができる。
【００５８】
図２０には、路面が必ずしも平たんであるとは限らないことを考慮し、ガイド、及び最下部防水板２０と路面との間に防水板設置装置５０を配置した例である。図２０（ａ）は路面が傾斜した例、図２０（ｂ）は路面に凹凸がある例である。
防水板設置装置５０は、本体５１、スペーサー５２、及びコーキング５３を具備している。
【００５９】
本体５１は、その長手方向両端にガイドの下端面、その間に最下部防水板２０の下部止水材２５の止水突起２７が接触するように配置される長尺の部材で、その上面が平坦に形成されている。これにより止水性を確保する。止水性を確保するとともにある程度の強度が必要である観点から本体５１は金属からなることが好ましい。
スペーサー５２は本体５１と路面との間に配置されている。スペーサー５２は本体５１の下面の内外方向端部のそれぞれに配置され、その突出量が両者で異なることにより本体を内外方向に水平となるように調整する。図２０（ａ）は傾斜する路面に合わせて突出量が調整されている。図２０（ｂ）は一方のスペーサー５２が凹部の底にまで達するように配置されている。これにより本体５１を内外方向で水平に保つとともに本体５１と路面との防水を図る。従ってスペーサー５２はある程度弾性を有する材料により構成されることが好ましく、これには例えば硬質ゴムを挙げることができる。
コーキング５３は本体５１とスペーサー５２とのシーリングをするもので、本体５１とスペーサー５２との外部側、及び内部側のそれぞれに配置される。
【００６０】
防水板設置装置５０を用いることにより、路面の状況が好ましくなくても防水性を確保することができる。
【００６１】
ここで説明した例は路面に防水板設置装置５０を埋め込むことが不可能な場合に、路面上に防水板設置装置５０を設置した例である。これに対して路面に防水板設置装置５０を埋め込むことが可能である場合は、路面を凹状に掘り込んで、ここに防水板設置装置５０を埋めて、路面を埋め戻して仕上げることもできる。
【００６２】
図２１は第二の形態にかかる防水板装置１０１を説明する図で、図２（ｂ）に相当する図である。防水板装置１０１は、通路の幅が広い場合等に、防水板１０を左右方向にも並べて配置する態様の防水板装置である。従って左右方向に隣り合う防水板１０、及び最下部防水板２０の間にこれらを連結するための部材を設置する必要がある。そこで、本形態では当該部材として中柱１１０を設けた。これ以外の各構成要素の構造は上記した防水板装置１と同様なのでここでは説明を省略する。
【００６３】
図２２には、図２１にＸＸＩＩ−ＸＸＩＩで示した線に沿った内外方向断面図を表した。
中柱１１０は、図２２に示した所定の断面を有して図２１に表れているように路面のうち２つのガイド２間に立設されている。これにより、ガイド２と中柱１１０とに挟まれた２つの空間が形成されている。当該２つの空間のそれぞれに防水板１０及び最下部防水板２０が配置される。
【００６４】
本形態の中柱１１０は、図２２からわかるようにガイド１１１及び止水柱１２０を備えて構成されている。そしてガイド１１１は第一ガイド１１２及び第二ガイド１１６を有しておりこれらが組み合わされている。
第一ガイド１１２は、当該断面において内外方向に延びる片１１３を有し、該片１１３の端部のそれぞれから一方のガイド２に向けて延びる片１１４、片１１５が配置されている。これにより片１１４と片１１５とは内外方向に所定の間隔を有して並列され、その間には溝が形成される。そしてこの溝のうち、片１１３が配置される側とは反対側には該溝内に通じる開口が形成される。従って、第一ガイド１１２は断面が略コ字状、略Ｃ字状とされている。また、片１１４、片１１５の先端には互いに近づく方向に延びる先端片１１４ａ、１１５ａが設けられ、その先端は湾曲するように曲げられ、先端片１１４ａの湾曲の凸部と先端片１１５ａの湾曲の凸部とが対向するように配置されている。これにより、ガイド止水材１３、押圧手段４０との接触面積を増やして止水性を向上させている。
第二ガイド１１６は、当該断面において内外方向に延びる片１１７を有し、該片１１７の端部のそれぞれから他方のガイド２に向けて延びる片１１８、片１１９が配置されている。これにより片１１８と片１１９とは内外方向に所定の間隔を有して並列され、その間には溝が形成される。そしてこの溝のうち、片１１７が配置される側とは反対側には該溝内に通じる開口が形成される。従って、第二ガイド１１６も断面が略コ字状、略Ｃ字状とされている。また、片１１８、片１１９の先端には互いに近づく方向に延びる先端片１１８ａ、１１９ａが設けられ、その先端は湾曲するように曲げられ、先端片１１８ａの湾曲の凸部と先端片１１９ａの湾曲の凸部とが対向するように配置されている。これにより、ガイド止水材１３、押圧手段４０との接触面積を増やして止水性を向上させている。
【００６５】
第一ガイド１１２と第二ガイド１１６とは、形成される溝の開口部が反対側に向くようにして片１１３と片１１７とが面を重ねるように固定される。これにより第一ガイド１１２には左右方向一方側の防水パネル１０及び最下部防水パネル２０の端部が挿入され、第二ガイド１１６には左右方向他方側の防水パネル１０及び最下部防水パネル２０の端部が挿入される。
【００６６】
止水柱１２０は断面がコ字状の柱状部材であり、図２２に表れる断面において、第一ガイド１１２と第二ガイド１１６との配列方向に沿った方向に延びる片１２１を有している。そして片１２１のうち、一方側の端部からは第一ガイド１１２の方向に向けて片１２２が延びている。また、片１２１のうち他方側の端部からは第二ガイド１１６の方向に向けて片１２３が延びている。ここで片１２２と片１２３とは略平行とされている。
また、図２３には図２２の矢印Ｅで示したように、中柱１１０の下端部を内部側から見た図を表した。図２２からわかるように、中柱１１０の止水柱１２０の下端には、片１２１、片１２２、片１２３と路面との間に、片１２１、片１２２、片１２３と同形状である凹型形状である止水ゴム１２４が挟まれている。これにより、片１２１、片１２２、片１２３及び路面で囲まれるコ字状の空間Ｓが形成されている。
【００６７】
このような中柱１１０は次のように防水板１０、最下部防水板２０と組み合わされている。図２２からわかるように、立設されたガイド１１１を内部側から覆うように止水柱１２０を配置する。このときガイド１１１のうち片１１５、片１１９が止水柱１２０のコ字状の内側に含まれるようにし、片１２２及び片１２３の外部側の先端が防水板１０、最下部防水板２０に接触するように位置づける。
【００６８】
このような中柱１１０によれば、第一ガイド１１２の内側に左右方向一方側の防水板１０、最下部防水板２０の端部が挿入される。そして外部側において、防水板１０、最下部防水板２０と片１１４との間に押圧手段４０が挿入されている。これにより防水板１０、最下部防水板２０が内部側に押圧される。すると、防水板１０、最下部防水板２０は内部側において片１２２の先端に接触する。このとき片１２２の先端はガイド止水材１３に接触するので、ここで止水性が確保される。
片１２２の下端部では、図２３に示したように片１２２と路面との間に配置された上記止水ゴム１２４の外部側端面が最下部防水板２０の下端止水材２５の内部側面にまで延びるガイド止水材２３に接触して止水性が確保されている。図２４は中柱１１０の下端部の周辺を路面側から見上げる方向に見た図である。
【００６９】
一方、第二ガイド１１６側についても、左右方向他方側の防水板１０、最下部防水板２０に関して同様に作用して片１２３がガイド止水材１３に強く接触して止水性が確保される。また、片１２３の下端部でも、図２４に示したように片１２３と路面との間に配置された上記止水ゴム１２４の外部側端面が最下部防水板２０の下端止水材２５の内部側面にまで延びるガイド止水材２３に接触して止水性が確保されている。
【００７０】
以上により、中柱１１０を挟んで内外方向の止水性が得られる。なお、外部側の水は、空間Ｓにまで侵入する可能性があるが、この空間は左右の片１２２、片１２３と路面により止水されているので内部側に漏れない。
【００７１】
図２５は中柱の変形例にかかる中柱１５０を説明する図であり、図２２に相当する図である。中柱１５０以外は上記した防水板装置１０１と同様である。
中柱１５０も中柱１１０と同様に２つのガイド２の間に立設されて（図２１参照）、左右に配置される防水板１０、最下部防水板２０を連結する部材である。従って、中柱１５０は図２４に表れる断面を有して上下方向に延びている。
【００７２】
中柱１５０は図２４に表れる断面において、左右方向に延びる２つの片１５１、片１５２が内外方向に所定の間隔を有して配置されている。そして該２つの片１５１と片１５２とを連結するように内外方向に延びる２つの片１５３が備えられている。これにより、片１５１と片１５２との間に溝が形成されるとともに、片１５１及び片１５２の端部間には互いに反対に開口する２つの開口部が形成される。
【００７３】
中柱１５０の上記構造により、片１５１と片１５２との間隙に形成される溝に防水板１０、及び最下部防水板２０の端部を差し込み、これまで説明したと同じようにガイド止水材１３、２３及び押圧手段４０により止水することができる。
すなわち、中柱１５０のような構造によっても防水板装置を構成することが可能である。
【符号の説明】
【００７４】
１  防水板装置
２  ガイド
１０  防水板
２０  最下部防水板（防水板）
２５  下端止水材
２６  止水材本体
２７  止水突起
４０  押圧手段
【図１】
2014190129.tif 000003
【図２】
2014190129.tif 000004
【図３】
2014190129.tif 000005
【図４】
2014190129.tif 000006
【図５】
2014190129.tif 000007
【図６】
2014190129.tif 000008
【図７】
2014190129.tif 000009
【図８】
2014190129.tif 000010
【図９】
2014190129.tif 000011
【図１０】
2014190129.tif 000012
【図１１】
2014190129.tif 000013
【図１２】
2014190129.tif 000014
【図１３】
2014190129.tif 000015
【図１４】
2014190129.tif 000016
【図１５】
2014190129.tif 000017
【図１６】
2014190129.tif 000018
【図１７】
2014190129.tif 000019
【図１８】
2014190129.tif 000020
【図１９】
2014190129.tif 000021
【図２０】
2014190129.tif 000022
【図２１】
2014190129.tif 000023
【図２２】
2014190129.tif 000024
【図２３】
2014190129.tif 000025
【図２４】
2014190129.tif 000026
【図２５】
2014190129.tif 000027